(57)【特許請求の範囲】
【請求項１】
ベースと、送風路とファンモータ取付部とを備えて前記ベースの下部に装着されるケーシングと、前記ベースの前面に装着される前面パネルとで本体を構成し、同本体の前面上部と上面とに吸込口を設け、前面下部に前記送風路に連なる吹出口を設け、前記吸込口と前記吹出口とを結ぶ空気通路に熱交換器と、送風ファンとを設け、同送風ファンを駆動するファンモータを前記ケーシングの一側に設けられた前記ファンモータ取付部に取付けるとともに、前記ファンモータの前面ボスに、リング状のモータクッションを嵌着して同ファンモータの回転軸を前記送風ファンの軸に連結し、前記ケーシングの前記ファンモータ取付部に側して立設されたリブに形成された前記モータクッションが嵌装する半円状の切欠きからなる押さえ部と、前記ベースの前面に前記リブに対応して形成されたファンラップ部とで、前記モータクッションを挟着してなる空気調和機において、
前記モータクッションの上部両側に、前記ファンラップ部と、前記リブとの接合部の隙間を密閉する密閉板を設けてなることを特徴とする空気調和機。
【請求項２】
前記密閉板が、ゴム成型により前記モータクッションに一体成型されていることを特徴とする請求項１に記載の空気調和機。
【請求項３】
前記密閉板が、波形状に形成されていることを特徴とする請求項１または請求項２に記載の空気調和機。
【請求項４】
前記密閉板の上下面に複数の突起を設けてなることを特徴とする請求項１または請求項２に記載の空気調和機。
【請求項５】
前記密閉板の上下に前後方向への連続した凹凸面を形成してなることを特徴とする請求項１または請求項２に記載の空気調和機。
【発明の詳細な説明】
【０００１】
【発明の属する技術分野】
本発明は、空気調和機に係わり、より詳細には、ファンモータの前面ボスに嵌着されるモータクッションに密閉板を設け、同密閉板により、ベースのファンラップ部とケーシングに立設されたリブとの接合部を密閉して、送風ファン等に結露が生じないようにした構成に関する。
【０００２】
【従来の技術】
従来の空気調和機は、例えば図５（Ａ）で示すようにして、ファンモータと同ファンモータに駆動される送風ファンとを設けている。本体を構成するベース２は、その前面一側にファンラップ部２ａを突設し、送風路を形成したケーシング４は、一側にファンモータ装着部４ａを形成している。同ファンモータ装着部４ａに側して、リブ４ｃ及びリブ４ｄとが立設され、前記ケーシング４の外郭と前記リブ４ｃとで形成される凹部にファンモータ１０が取付けられる。同ファンモータ１０は前面ボスにゴム材からなるモータクッション３０を嵌着し、同モータクッション３０を介して回転軸に送風ファン９を連結するようになっている。前記ファンモータ１０は前記モータクッション３０を前記ベース２の前記ファンラップ部２ａと、前記ケーシング４の前記リブ４ｃ及び前記リブ４ｄとで挟着するようにして装着される。
【０００３】
しかしながら、前記ファンラップ部２ａと前記リブ４ｃ及び前記リブ４ｄとの接合部に隙間を生じると、同隙間から常温の空気が吹出口及び前記送風ファン９の周囲に侵入して冷却され、前記送風ファン９等の表面に結露を生じる不具合が発生する。これを防止するため、前記ファンラップ部２ａと前記リブ４ｃ及び前記リブ４ｄとの接合部には、図５（Ｂ）で示すように、シール部材３１を貼着して隙間の密閉を行っている。このため組立作業において前記シール部材３１を前記リブ４ｃ及びリブ４ｄに貼着する作業を要し作業工程数の増加とともに、前記シール部材３１等の部品点数の増加を招いていた。
【０００４】
【発明が解決しようとする課題】
本発明は上記問題点に鑑み、空気調和機の組立作業において、ベースのファンラップ部とケーシングとの接合部を密閉するシール部材と、同シール部材を貼着する作業を要さず、部品点数の削減させるとともに、作業工程数を減少させ、またベースのファンラップ部とケーシングに立設されたリブとの密閉性を高めた空気調和機を提供することを目的とする。
【０００５】
【課題を解決するための手段】
本発明は上記課題を解決するため、ベースと、送風路とファンモータ取付部とを備えて前記ベースの下部に装着されるケーシングと、前記ベースの前面に装着される前面パネルとで本体を構成し、同本体の前面上部と上面とに吸込口を設け、前面下部に前記送風路に連なる吹出口を設け、前記吸込口と前記吹出口とを結ぶ空気通路に熱交換器と、送風ファンとを設け、同送風ファンを駆動するファンモータを前記ケーシングの一側に設けられた前記ファンモータ取付部に取付けるとともに、前記ファンモータの前面ボスに、リング状のモータクッションを嵌着して同ファンモータの回転軸を前記送風ファンの軸に連結し、前記ケーシングの前記ファンモータ取付部に側して立設されたリブに形成された前記モータクッションが嵌装する半円状の切欠きからなる押さえ部と、前記ベースの前面に前記リブに対応して形成されたファンラップ部とで、前記モータクッションを挟着してなる空気調和機において、
前記モータクッションの上部両側に、前記ファンラップ部と、前記リブとの接合部の隙間を密閉する密閉板を設けた構成となっている。
【０００６】
また、前記密閉板が、ゴム成型により前記モータクッションに一体成型された構成となっている。
【０００７】
また、前記密閉板が、波形状に形成された構成となっている。
【０００８】
また、前記密閉板の上下面に複数の突起を設けた構成となっている。
【０００９】
更に、前記密閉板の上下に前後方向への連続した凹凸面を形成した構成となっている。
【００１０】
【発明の実施の形態】
以下、本発明の実施の形態を、添付図面に基づいた実施例として詳細に説明する。
図１は本発明による空気調和機を示す断面図であり、図２（Ａ）及び図２（Ｂ）は要部分解斜視図である。また図３（Ａ）はモータクッションの外観斜視図であり、図３（Ｂ）はモータクッションの取付けを示す要部断面図である。また図４（Ａ）及び図４（Ｂ）は第二の実施例及び第三の実施例を示すモータクッションの正面図であり、図４（Ｃ）は第四の実施例を示すモータクッションの側面図である。
本発明による空気調和機１は、図１で示すように、ベース２と、送風路及びファンモータ取付部４ａを形成し前記ベース２の下部に装着されるケーシング４と、前記ベース２の前面に装着される前面パネル３とで本体を構成し、同本体の前面に前面上部吸込口５を、上部に上面吸込口６を設け、前面下部に風向変更板７ａを備え前記送風路に連なる吹出口７を設けている。前記前面上部吸込口５及び前記上面吸込口６と前記吹出口７とを結ぶ空気通路には、垂直部８ａと、同垂直部８ａの上端を折曲して後方に傾斜させた後方傾斜部８ｂとからなる熱交換器８と、同熱交換器８により熱交換された空気を室内に送出する送風ファン９とが設けられている。
【００１１】
次に、本発明の第一の実施例について説明をする。図２（Ａ）で示すように、前記ベース２と前記ケーシング４との間には、ファンモータ１０と、同ファンモータ１０により駆動される円筒形状に形成された前記送風ファン９とが取付けられる。前記ケーシング４の一側には凹部４ｂからなるファンモータ取付部４ａが設けられ、また前記ケーシング４には、半円状の切欠きからなる押さえ部４ｆ及び４ｅを形成したリブ４ｄ及び４ｃとが立設され、前記ベース２の前面両側には湾曲状に形成されたファンラップ部２ａと、ファンラップ部２ｂとが形成されている。また前記ファンモータ１０の前面ボス１０ｂには、同ファンモータ１０の振動が前記本体の筐体に伝搬されることを防止する、クロロプレン等のゴム材からなるリング状に形成されたモータクッション１１が嵌着される。前記ファンモータ１０の回転軸１０ａは前記モータクッション１１の挿通孔を挿通して前記送風ファン９の軸９ａと連結される。前記モータクッション１１は、図３（Ａ）で示すように、前記ファンモータ１０の回転軸１０ａが挿通する挿通孔１１ｂを中央に穿設し、その周囲の円筒状部１１ａの上部両側を左右に延出して密閉板１１ｃを設けており、同密閉板１１ｃは、ゴム成型により前記モータクッション１１に一体となって成型されている。
【００１２】
前記ファンモータ１０の前記ボス１０ｂに前記モータクッション１１が嵌着され、前記ファンモータ１０の回転軸１０ａに前記送風ファン９の軸９ａが連結されると、前記モータクッション１１が前記リブ４ｃ及び４ｄの前記押さえ部４ｅ及び４ｆに載置するようにして、前記ファンモータ１０と、前記送風ファン９とが前記ケーシング４上に装着される。次に、前記ベース２の前記ファンラップ部２ａが、前記モータクッション１１を前記押さえ部４ｅ及び４ｆとで挟着するようにして、前記ベース２に前記ケーシング４が装着される。
【００１３】
前記ベース２に前記ケーシング４が装着された際、前記リブ４ｄ及び４ｃと前記ファンラップ部２ａとの接合部には、図３（Ｂ）で示すように、前記モータクッション１１の前記密閉板１１ｃが、接合部を密閉するようにして挟着されるようになっている。
【００１４】
前記モータクッション１１の前記密閉板１１ｃが、前記ファンラップ部２ａと前記ケーシング４に立設された前記リブ４ｄとの接合部を密閉するように挟着されることにより、運転の際、常温の空気が前記吹出口７あるいは前記送風ファン９の周囲に侵入して冷却され、前記送風ファン９等の表面に露付き等が発生することを防止できるとともに、組立の際、前記接合部にシール材等を貼着する作業を不要にして、組立作業の効率を向上させることができるようになっている。
【００１５】
次に、本発明の第二から第四の実施例について説明をする。第二の実施例は図４（Ａ）で示すように、モータクッション１２の上部両側に設けた密閉板１２ｂを波形状に形成し、同密閉板１２ｂが挟着された際、波形の面により隙間の発生を極力防止して更に密閉性を高めた構成となっている。第三の実施例は、図４（Ｂ）で示すように、モータクッション１３の密閉板１３ｂの上下面に複数の突起１３ｃを形成し、同突起１３ｃにより隙間の発生を極力防止して、更に密閉性を高めた構成となっている。第四の実施例は、図４（Ｃ）の側面図で示すように、モータクッション１４に、前後方向の連続した凹凸面を形成した密閉板１４ｂを設け、更に密閉性を高めた構成となっている。
【００１６】
【発明の効果】
以上説明したように、本発明によると、ファンモータの前面のボスに嵌着されるモータクッションの上部両側に密閉板を設け、同密閉板によりベースのファンラップ部と、ケーシングに立設されたリブとの接合部を密閉することにより、送風ファン等に結露が発生することを防止できるとともに、組立作業の効率を向上させることができる空気調和機となる。
【図面の簡単な説明】
【図１】本発明による空気調和機を示す断面図である。
【図２】（Ａ）は、ベースとケーシングとの組立を示す分解斜視図である。
（Ｂ）は、ファンモータと送風ファンとが装着される状態を示す分解斜視図である。
【図３】（Ａ）は本発明による空気調和機に設けられたモータクッションを示す外観斜視図である。
（Ｂ）は本発明による空気調和機に設けられたモータクッションが装着された状態を示す断面図である。
【図４】（Ａ）は、本発明による空気調和機に設けられたモータクッションの第二の実施例を示す正面図である。
（Ｂ）は、本発明による空気調和機に設けられたモータクッションの第三の実施例を示す正面図である。
（Ｃ）は、本発明による空気調和機に設けられたモータクッションの第四の実施例を示す側面図である。
【図５】（Ａ）は従来例によるベースとケーシングとの組立を示す分解斜視図である。（Ｂ）は従来例による空気調和機に設けられたモータクッションが装着された状態を示す断面図である。
【符号の説明】
１  空気調和機
２  ベース
２ａ  ファンラップ部
２ｂ  ファンラップ部
３  前面パネル
４  ケーシング
４ａ  ファンモータ取付部
４ｂ  凹部
４ｃ  リブ
４ｄ  リブ
４ｅ  押さえ部
４ｆ  押さえ部
５  前面上部吸込口
６  上面吸込口
７  吹出口
７ａ  風向変更板
８  熱交換器
８ａ  垂直部
８ｂ  後方傾斜部
９  送風ファン
９ａ  軸
１０  ファンモータ
１０ａ  ボス
１０ｂ  回転軸
１１  モータクッション
１１ａ  円筒状部
１１ｂ  挿通孔
１１ｃ  密閉板
１２  モータクッション
１２ａ  挿通孔
１２ｂ  密閉板
１３  モータクッション
１３ａ  挿通孔
１３ｂ  密閉板
１３ｃ  突起
１４  モータクッション
１４ａ  挿通孔
１４ｃ  密閉板
【図１】
0004433586.tif 000002
【図２】
0004433586.tif 000003
【図３】
0004433586.tif 000004
【図４】
0004433586.tif 000005
【図５】
0004433586.tif 000006